(57)【特許請求の範囲】
【請求項１】
ドット記録ヘッドを用いて記録媒体の表面にドットを形成し画像の記録を行うプリンタであって、
前記ドット記録ヘッドと前記記録媒体の少なくとも一方を駆動して、前記ドット記録ヘッドの往復運動からなる主走査を行う主走査駆動手段と、
前記主走査がなされる方向と交差する方向に前記ドット記録ヘッドと記録媒体の少なくとも一方を送る副走査駆動手段と、
前記主走査の運動中に前記ドット記録ヘッドを駆動してドットの形成を行わせるヘッド駆動手段と、
前記主走査の往運動中に、前記主走査方向に第１の所定間隔ずつ離れ、前記副走査方向に第２の所定間隔ずつ離れた複数のドットからなるテストパターンを形成するように前記ヘッド駆動手段を制御する往行程テストパターン形成手段と、
前記主走査の復運動中に、前記往行程テストパターン形成手段により形成された各ドットとの間隔が、前記主走査方向においては前記第１の所定間隔の約半分となる条件、または前記副走査方向においては前記第２の所定間隔の約半分となる条件の少なくとも一方が成立する位置にある複数のドットからなるテストパターンを形成すべきタイミングで前記ヘッド駆動手段を制御する復行程テストパターン形成手段とを備え、
前記第１の所定間隔および第２の所定間隔の少なくとも一方は、前記往行程テストパターン形成手段および前記復行程テストパターン形成手段の双方により形成されるテストパターンの空間周波数が、０．４〜２．０サイクル／ｍｍとなる間隔であるプリンタ。
【請求項２】
請求項１のプリンタはさらに、
前記副走査方向に該プリンタにより形成しうる最小ドット間隔よりも大きい一定のノズル間隔ごとに設置された複数のノズルを前記ドット記録ヘッドに備えており、
前記第２の所定間隔は前記ノズル間隔の整数倍もしくは１／整数倍であるプリンタ。
【請求項３】
ドット記録ヘッドを用いて記録媒体の表面にドットを形成し画像の記録を行うプリンタであって、
前記ドット記録ヘッドと前記記録媒体の少なくとも一方を駆動して、前記ドット記録ヘッドの往復運動からなる主走査を行う主走査駆動手段と、
前記主走査がなされる方向と交差する方向に前記ドット記録ヘッドと記録媒体の少なくとも一方を送る副走査駆動手段と、
前記主走査の運動中に前記ドット記録ヘッドを駆動してドットの形成を行わせるヘッド駆動手段と、
前記主走査の往運動中に、前記主走査方向に第１の所定間隔ずつ離れ、前記副走査方向に第２の所定間隔ずつ離れた複数のドットからなるテストパターンを形成するように前記ヘッド駆動手段を制御し、前記主走査の復運動中に、前記往行程テストパターン形成手段により形成された各ドットとの間隔が、前記主走査方向においては前記第１の所定間隔の約半分となる条件、または前記副走査方向においては前記第２の所定間隔の約半分となる条件の少なくとも一方が成立する位置にある複数のドットからなるテストパターンを形成すべきタイミングで前記ヘッド駆動手段を制御する双方向ドット形成手段と、
前記主走査の往運動中または復運動中のいずれかの運動中のみにドットを形成することにより前記往行程テストパターン形成手段および前記復行程テストパターン形成手段の双方により形成されるテストパターンを形成するように前記ヘッド駆動手段を制御する単方向ドット形成手段と、
前記双方向ドット形成手段により形成されるテストパターンに近接して、前記単方向ドット形成手段により形成されるテストパターンを記録するように、双方向ドット形成手段と単方向ドット形成手段を選択する選択手段とを備え、
前記第１の所定間隔および第２の所定間隔の少なくとも一方は、前記双方向ドット形成手段により形成されるテストパターンの空間周波数が、０．４〜２．０サイクル／ｍｍとなる間隔であるプリンタ。
【請求項４】
ドット記録ヘッドにより記録媒体にドットを形成し画像を記録するプリンタにおいて、前記ドット記録ヘッドの往運動中および復運動中の双方向で複数のドットからなるテストパターンを形成するテストパターン形成方法であって、
前記ドット記録ヘッドの往運動中に、前記主走査方向に第１の所定間隔ずつ離れ、前記副走査方向に第２の所定間隔ずつ離れた複数のドットからなる往行程テストパターンを形成し、
前記ドット記録ヘッドの復運動中に、前記往行程テストパターンにおける各ドットとの間隔が、前記主走査方向においては前記第１の所定間隔の約半分となる条件、または前記副走査方向においては前記第２の所定間隔の約半分となる条件の少なくとも一方が成立する位置にある複数のドットからなる復行程テストパターンを形成すべきタイミイングでドットを形成し、
前記第１の所定間隔および第２の所定間隔の少なくとも一方は、前記往行程テストパターン形成および前記復行程テストパターン形成の双方により形成されるテストパターンの空間周波数が、０．４〜２．０サイクル／ｍｍとなる間隔であるテストパターン形成方法。
【請求項５】
ドット記録ヘッドにより記録媒体にドットを形成するプリンタに備えられたコンピュータにより実行される、前記ドット記録ヘッドの往運動中および復運動中の双方向で複数のドットからなるテストパターンを形成するためのプログラムを記憶したコンピュータ読みとり可能な記憶媒体であって、前記プログラムは、
前記ドット記録ヘッドの往運動中に、前記主走査方向に第１の所定間隔ずつ離れ、前記副走査方向に第２の所定間隔ずつ離れた複数のドットからなる往行程テストパターンを形成する工程と、
前記ドット記録ヘッドの復運動中に、前記往行程テストパターンにおける各ドットとの間隔が、前記主走査方向においては前記第１の所定間隔の約半分となる条件、または前記副走査方向においては前記第２の所定間隔の約半分となる条件の少なくとも一方が成立する位置にある複数のドットからなる復行程テストパターンを形成すべきタイミイングでドットを形成する工程とを備え、
前記第１の所定間隔および第２の所定間隔の少なくとも一方は、前記往行程テストパターン形成工程および前記復行程テストパターン形成工程の双方により形成されるテストパターンの空間周波数が、０．４〜２．０サイクル／ｍｍとなる間隔である記憶媒体。
【発明の詳細な説明】
【０００１】
【発明の属する技術分野】
この発明は、ドット記録ヘッドの往復双方向動作中に記録媒体にドットを形成し画像を記録するプリンタに関し、詳しくは該プリンタによりテスト用ドットを形成する技術に関する。
【０００２】
【従来の技術】
ドット記録ヘッドが主走査方向に往復運動し、記録媒体を副走査方向に走査しながら記録を行う記録装置としては、インクジェットプリンタがある。このようなプリンタにおいては、記録速度の向上のため、ドット記録ヘッドに複数のノズルを備えたものが多い（以下、マルチヘッドという）。カラー印刷が可能なプリンタでは、各色インクについてそれぞれ上述のマルチヘッドを備えたものが多い。
【０００３】
このようなプリンタにおいては、さらに記録速度を向上するために、ドット記録ヘッドの主走査方向の往運動中のみならず、復運動中にもドットを形成するものもある。この場合、復運動中に形成されるドットが、往運動中に形成されたドットとの相対的関係において本来形成されるべき位置からずれた位置に形成されては、良好な画像が記録され得ないことになる。この現象は、種々の要因、例えばプリンタの駆動機構上必要となるあそび（バックラッシ）等によって生じるが、記録媒体たる用紙の厚さの違いによっても生じ得る。
【０００４】
図１２に用紙の厚さによって記録ドットにずれが生じる様子を示す。図１１（ａ）に示す通り、用紙ＰＡ１上に往行程においてドットｄｔ１１を形成し、その隣にドットｄｔ１２を復行程において形成する場合を考える。このときノズルＮｚは、それぞれ往行程、復行程における速度を考慮して図１１（ａ）に示す位置でインク滴Ｉｋ１１、Ｉｋ１２を発射する。これらはそれぞれ図１１（ａ）に示す軌跡を描いて目標とする位置に着弾し、ドットｄｔ１１、ｄｔ１２を形成する。
【０００５】
一方、用紙を厚いものに変更した場合の様子を図１１（ｂ）に示す。この場合は、ノズルＮｚと用紙ＰＡ２との間の距離は、図１１（ａ）におけるノズルＮｚと用紙ＰＡ１との間の距離よりも小さくなる。従って、往行程、復行程において図１１（ａ）の場合と同じタイミングでインク滴を発射したとすれば、インク滴Ｉｋ２１、Ｉｋ２２はそれぞれ図１１（ｂ）に示す軌跡を描いて着弾し、ドットｄｔ２１、ｄｔ２２を形成する。この結果、形成された両ドットは隣接しないものとなり、本来の記録されるべき画像が得られなくなる。本来記録されるべき画像を得るためには、復行程のインク発射タイミングを図１１（ｂ）に示したタイミングよりは遅らせる必要がある。
【０００６】
上記ずれをなくすために、往行程と復行程のドット記録タイミングを種々に変化させて所定のテストパターンを記録させ、最も良好な記録結果が得られたタイミングを選択することにより、ドット記録タイミングの調整を行う方法が採られている。上述した原因等も考慮すると、ドット記録タイミングの調整は、プリンタの出荷時のみならず、その使用者が行う場合もある。
【０００７】
従来より、上記テストパターンとして、図１２に示すライン状のものが用いられている。図１２に示した各ラインについて、上半分は往行程により記録されたものであり、下半分は復行程により記録されたものである。ドット記録タイミングを種々のタイミングに変化させることにより、図１２（ａ）から（ｅ）に示すように上半分と下半分の位置関係が種々変化したラインが形成される。図１２（ｃ）は上半分と下半分の相対的ずれが生じていない良好な画像であるため、ドット記録タイミングとして、図１２（ｃ）に対応するタイミングを選択すればよいことになる。
【０００８】
また、適正なタイミングで記録された場合には、一定領域がドットで埋め尽くされる、いわゆるベタ塗り状態となるテストパターンを記録する方法も提案されている（特開平７−８１１９０）。このテストパターンは、ドット記録タイミングが適正なタイミングからずれている場合には、ベタ塗り状態となるべき領域にドットが形成されない白い筋が現れる。従って、このような筋が現れないドット記録タイミングを選択することにより、その調整をすることができる。
【０００９】
【発明が解決しようとする課題】
しかし、図１２に示したようなライン状のテストパターンでは、ドット記録タイミングが十分に調整できないという課題があった。図１２は、説明の便宜上、テストパターンを拡大して示してあるが、実際には１列のドットにより形成されるものであり、図１２（ｂ）または図１２（ｄ）と図１２（ｃ）の判別は非常に困難である。特に、プリンタの使用者にとっては、日頃テストパターンを見慣れていないため、上記判別はさらに困難のものとなっていた。高解像度化が進んだ最近のプリンタでは、ドット記録タイミングを精度よく調整できない場合には、良好な画像が記録され得ない可能性もあった。
【００１０】
また、一定領域をベタ塗り状態とするテストパターンにおいても、ドット記録タイミングが十分に調整できない場合があった。つまり、上記白い筋は非常に微細なものであるため、用紙にインクが着弾した際のにじみ等により判別が困難となることがあった。
【００１１】
この発明は、従来技術における上述の課題を解決するためになされたものであり、往行程と復行程におけるドット記録タイミングを適切に調整することができるテストパターンを形成する技術を提示することを目的とする。
【００１２】
【課題を解決するための手段およびその作用・効果】
上記課題を解決するために、本発明の第１のプリンタは、
ドット記録ヘッドを用いて記録媒体の表面にドットを形成し画像の記録を行うプリンタであって、
前記ドット記録ヘッドと前記記録媒体の少なくとも一方を駆動して、前記ドット記録ヘッドの往復運動からなる主走査を行う主走査駆動手段と、
前記主走査がなされる方向と交差する方向に前記ドット記録ヘッドと記録媒体の少なくとも一方を送る副走査駆動手段と、
前記主走査の運動中に前記ドット記録ヘッドを駆動してドットの形成を行わせるヘッド駆動手段と、
前記主走査の往運動中に、前記主走査方向に第１の所定間隔ずつ離れ、前記副走査方向に第２の所定間隔ずつ離れた複数のドットからなるテストパターンを形成するように前記ヘッド駆動手段を制御する往行程テストパターン形成手段と、
前記主走査の復運動中に、前記往行程テストパターン形成手段により形成された各ドットとの間隔が、前記主走査方向においては前記第１の所定間隔の約半分となる条件、または前記副走査方向においては前記第２の所定間隔の約半分となる条件の少なくとも一方が成立する位置にある複数のドットからなるテストパターンを形成すべきタイミイングで前記ヘッド駆動手段を制御する復行程テストパターン形成手段とを備えることを要旨とする。
【００１３】
本発明の第１のテストパターン形成方法は、
ドット記録ヘッドにより記録媒体にドットを形成し画像を記録するプリンタにおいて、前記ドット記録ヘッドの往運動中および復運動中の双方向で複数のドットからなるテストパターンを形成するテストパターン形成方法であって、
前記ドット記録ヘッドの往運動中に、前記主走査方向に第１の所定間隔ずつ離れ、前記副走査方向に第２の所定間隔ずつ離れた複数のドットからなる往行程テストパターンを形成し、
前記ドット記録ヘッドの復運動中に、前記往行程テストパターンにおける各ドットとの間隔が、前記主走査方向においては前記第１の所定間隔の約半分となる条件、または前記副走査方向においては前記第２の所定間隔の約半分となる条件の少なくとも一方が成立する位置にある複数のドットからなる復行程テストパターンを形成すべきタイミイングでドットを形成することを要旨とする。
【００１４】
上述のプリンタまたはテストパターン形成方法によれば、ドット記録ヘッドの往運動中に、主走査方向に第１の所定間隔ずつ離れ、副走査方向に第２の所定間隔ずつ離れた複数のドットからなる往行程テストパターンを形成することができる。また、復運動中に前記往行程テストパターン形成手段により形成された各ドットとの間隔が、前記主走査方向においては前記第１の所定間隔の約半分となる条件、または前記副走査方向においては前記第２の所定間隔の約半分となる条件の少なくとも一方が成立する位置にある複数のドットからなるテストパターンを形成することができる。従って、ドット記録タイミングが適正なタイミングに調整されている場合には、往行程テストパターンと復行程テストパターンの重ね合わせにより一定領域内に複数のドットが一様な間隔で並んだテストパターンが形成される。このテストパターンは、濃淡のムラのない一様なパターンとして目視される。
【００１５】
これに対し、ドット記録タイミングが適正な状態からずれている場合には、往行程テストパターンと復行程テストパターンとの間に相対的なずれが生じる。このとき、両行程により形成される複数のドットの一様性がくずれ、ドットが密な部分と疎な部分とが生じる。この疎密は、ドットが形成された領域内の濃淡のムラとして目視される。以上より、本発明のプリンタまたはテストパターン形成方法によれば、この濃淡のムラの有無を判別することにより、プリンタのドット記録タイミングの調整をすることができる。
【００１６】
前記プリンタにおいては、
前記第１の所定間隔および第２の所定間隔の少なくとも一方は、前記往行程テストパターン形成手段および前記復行程テストパターン形成手段の双方により形成されるテストパターンの空間周波数が０．４〜２．０サイクル／ｍｍとなる間隔とすることが望ましい。
【００１７】
また、前記テストパターン形成方法においては、
前記第１の所定間隔または第２の所定間隔の少なくとも一方は、形成されるテストパターンの空間周波数が０．４〜２．０サイクル／ｍｍとなる間隔にすることが望ましい。
【００１８】
上述の通り、本発明のプリンタまたはテストパターン形成方法は、形成されたテストパターンに生じる濃淡のムラの有無を判別することにより、プリンタのドット記録タイミングの調整をするものである。一般に人間の目視感度は、空間周波数に応じて変化することが知られており、０．４〜２．０サイクル／ｍｍのとき感度が高くなることが知られている。従って、テストパターンの空間周波数を０．４〜２．０サイクル／ｍｍとすることにより、ドット記録タイミングのずれによる濃淡を感度よく目視することができる。このような観点からすれば、テストパターンの空間周波数は、厳密に０．４〜２．０サイクル／ｍｍである必要はなく、かかる範囲外であっても、ドット形成タイミングのずれによる濃淡のムラが感度よく目視しうる空間周波数であればよい。０．４〜２．０サイクル／ｍｍとは、このような幅を含んだ空間周波数を意味している。
【００１９】
かかる観点から、従来にはなかった次の方法でテストパターンを設計するものとしてもよい。即ち、本発明のテストパターン設計方法は、
ドット記録ヘッドにより記録媒体にドットを形成するプリンタにおいて、前記ドット記録ヘッドの往運動中および復運動中の双方向で形成される複数のドットからなるテストパターンを設計するテストパターン設計方法であって、
前記テストパターンは、所定領域内において所定間隔ごとに形成された複数のドットからなるテストパターンとし、
明度に対する人間の目視感度の極大値となる最適空間周波数を特定し、
前記テストパターンの空間周波数が前記最適空間周波数と略同一となるようにドット間の前記所定間隔を定めることを要旨とする。
【００２０】
一方、前記プリンタを、
前記副走査方向に該プリンタにより形成しうる最小ドット間隔よりも大きい一定のノズル間隔ごとに設置された複数のノズルを備えたものとし、
前記第２の所定間隔は前記ノズル間隔の整数倍もしくは１／整数倍とすることも望ましい。
【００２１】
従来技術において述べた通り、ドット記録を行うプリンタには、ドット記録ヘッドに複数のノズルを備えたものが多く、このようなプリンタの中には副走査方向のノズル間隔が該プリンタにより形成しうる最小ドット間隔よりも大きいものもある。かかるプリンタにおいては、前記テストパターンについて、副走査方向のドット間隔である前記第２の所定間隔を、前記ノズル間隔の整数倍もしくは１／整数倍に一致させることにより、テストパターンを効率的に形成することができる。
【００２２】
本発明の第２のプリンタは、
ドット記録ヘッドを用いて記録媒体の表面にドットを形成し画像の記録を行うプリンタであって、
前記ドット記録ヘッドと前記記録媒体の少なくとも一方を駆動して、前記ドット記録ヘッドの往復運動からなる主走査を行う主走査駆動手段と、
前記主走査がなされる方向と交差する方向に記録媒体を送る副走査駆動手段と、
前記主走査の運動中に前記ドット記録ヘッドを駆動してドットの形成を行わせるヘッド駆動手段と、
前記主走査の往運動と復運動の両運動中において、ドットを形成することにより所定のテストパターンを形成するように前記ヘッド駆動手段を制御する双方向ドット形成手段と、
前記主走査の往運動中または復運動中のいずれかの運動中のみにドットを形成することにより前記所定のテストパターンを形成するように前記ヘッド駆動手段を制御する単方向ドット形成手段と、
前記双方向ドット形成手段により形成されるテストパターンに近接して、前記単方向ドット形成手段により形成されるテストパターンを記録するように、双方向ドット形成手段と単方向ドット形成手段を選択する選択手段とを備えることを要旨とする。
【００２３】
このプリンタは、所定のテストパターンをドット記録ヘッドの往運動と復運動の両運動中、即ち双方向で形成することができる。また、所定のテストパターンをヘッドの往運動中または復運動中のいずれかの運動中、即ち単方向でのみドットを形成することもできる。単方向で形成されたテストパターンは、ドット形成タイミングのずれがない理想的なテストパターンとなる。さらに、上記双方向で形成したテストパターン（双方向テストパターン）と単方向で形成したテストパターン（単方向テストパターン）とを近接して記録することができる。従って、双方向テストパターンのドット形成タイミングのずれを比較的容易に目視することができ、そのずれの調整を比較的容易に行うことができる。
【００２４】
なお、近接とは、単方向テストパターンと双方向テストパターンとを比較し易い位置関係で記録するものであればよく、以下の種々の態様が含まれる。例えば、両者を上下または左右にそれぞれ接するように記録する場合、両者をわずかなすきまを隔てて記録する場合等である。また、ドット形成タイミングを種々に変化させて複数の双方向テストパターンを記録する場合、各双方向テストパターンの間に単方向テストパターンを挿入するように記録してもよいし、双方向テストパターンの周囲等の一部に単方向テストパターンを代表的に記録するようにしてもよい。
【００２５】
一方、単方向テストパターンを形成できないプリンタであっても、次のテストパターン記録媒体を用いることにより、上述と同じ効果を得ることができる。このテストパターン記録方法に用いられるテストパターン記録媒体は、
前記テストパターン形成方法によりテストパターンが形成される領域とは、少なくとも一部において重複しない領域に、
前記主走査の復運動中のドット形成タイミングが最も好ましい状態において、前記主走査の往運動および復運動の双方により形成されるべき最適テストパターンが予め記録されていることを要旨とする。
【００２６】
本発明におけるコンピュータ読みとり可能な記憶媒体は、
ドット記録ヘッドにより記録媒体にドットを形成し画像を記録するプリンタに備えられたコンピュータにより、前記ドット記録ヘッドの往運動中および復運動中の双方向で複数のドットからなるテストパターンを形成するためのプログラムを記憶したコンピュータ読みとり可能な記憶媒体であって、
前記ドット記録ヘッドの往運動中に、前記主走査方向に第１の所定間隔ずつ離れ、前記副走査方向に第２の所定間隔ずつ離れた複数のドットからなる往行程テストパターンを形成する工程と、
前記ドット記録ヘッドの復運動中に、前記往行程テストパターンにおける各ドットとの間隔が、前記主走査方向においては前記第１の所定間隔の約半分となる条件、または前記副走査方向においては前記第２の所定間隔の約半分となる条件の少なくとも一方が成立する位置にある複数のドットからなる復行程テストパターンを形成すべきタイミイングでドットを形成する工程とを
コンピュータに実現させるプログラムを記憶したことを要旨とする。
【００２７】
このようなプログラムがコンピュータにより実行されると、上述の所定のテストパターンが形成され、プリンタのドット記録タイミングの調整を行うことができる。
【００２８】
なお、記憶媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読取り可能な種々の媒体を利用できる。また、コンピュータに上記の発明の各工程または各手段の機能を実現させるコンピュータプログラムを通信経路を介して供給するプログラム供給装置としての態様も含む。
【００２９】
【発明の実施の形態】
（１）装置の構成
図４に本発明のプリンタの概略構造を示し、図３に本発明のプリンタを用いたシステム例としてのカラー画像処理システムの構成を示す。プリンタの機能を明確にするため、まず、図３によりカラー画像処理システムの概要を説明する。このカラー画像処理システムは、スキャナ１２と、パーソナルコンピュータ９０と、カラープリンタ２２とを有している。パーソナルコンピュータ９０は、カラーディスプレイ２１とキーボード、マウス等からなる入力部９２を備えている。スキャナ１２は、カラー原稿からカラー画像データを読み取り、Ｒ，Ｇ，Ｂの３色の色成分からなる原カラー画像データＯＲＧをコンピュータ９０に供給する。
【００３０】
コンピュータ９０の内部には、図示しないＣＰＵ，ＲＡＭ，ＲＯＭ等が備えられており、所定のオペレーティングシステムの下で、アプリケーションプログラム９５が動作している。オペレーティングシステムには、ビデオドライバ９１やプリンタドライバ９６が組み込まれており、アプリケーションプログラム９５からはこれらのドライバを介して、最終カラー画像データＦＮＬが出力されることになる。画像のレタッチなどを行うアプリケーションプログラム９５は、スキャナから画像を読み込み、これに対して所定の処理を行いつつビデオドライバ９１を介してＣＲＴディスプレイ９３に画像を表示している。このアプリケーションプログラム９５が、印刷命令を発行すると、コンピュータ９０のプリンタドライバ９６が、画像情報をアプリケーションプログラム９５から受け取り、これをプリンタ２２が印字可能な信号（ここではＣＭＹＫの各色についての２値化された信号）に変換している。図３に示した例では、プリンタドライバ９６の内部には、アプリケーションプログラム９５が扱っているカラー画像データをドット単位の画像データに変換するラスタライザ９７と、ドット単位の画像データに対してプリンタ２２が使用するインク色ＣＭＹおよび発色の特性に応じた色補正を行う色補正モジュール９８と、色補正モジュール９８が参照する色補正テーブルＣＴと、色補正された後の画像情報からドット単位でのインクの有無によってある面積での濃度を表現するいわゆるハーフトーンの画像情報を生成するハーフトーンモジュール９９とが備えられている。プリンタ２２は、印字可能な上記信号を受け取り、記録用紙に画像情報を記録する。
【００３１】
次に、図４によりプリンタ２２の概略構成を説明する。図示するように、このプリンタ２２は、紙送りモータ２３によって用紙Ｐを搬送する機構と、キャリッジモータ２４によってキャリッジ３１をプラテン２６の軸方向に往復動させる機構と、キャリッジ３１に搭載された印字ヘッド２８を駆動してインクの吐出およびドット形成を制御する機構と、これらの紙送りモータ２３，キャリッジモータ２４，印字ヘッド２８および操作パネル３２との信号のやり取りを司る制御回路４０とから構成されている。
【００３２】
このプリンタ２２のキャリッジ３１には、黒インク用のカートリッジ７１とシアン，マゼンタ，イエロの３色のインクを収納したカラーインク用カートリッジ７２が搭載可能である。キャリッジ３１の下部の印字ヘッド２８には計４個のインク吐出用ヘッド６１ないし６４が形成されており、キャリッジ３１の底部には、この各色用ヘッドにインクタンクからのインクを導く導入管６５（図５参照）が立設されている。キャリッジ３１に黒インク用のカートリッジ７１およびカラーインク用カートリッジ７２を上方から装着すると、各カートリッジに設けられた接続孔に導入管が挿入され、各インクカートリッジから吐出用ヘッド６１ないし６４へのインクの供給が可能となる。
【００３３】
インクが吐出される機構を簡単に説明する。図４に示すように、インク用カートリッジ７１，７２がキャリッジ３１に装着されると、毛細管現象を利用してインク用カートリッジ内のインクが導入管６５を介して吸い出され、キャリッジ３１下部に設けられた印字ヘッド２８の各色ヘッド６１ないし６４に導かれる。なお、初めてインクカートリッジが装着されたときには、専用のポンプによりインクを各色のヘッド６１ないし６４に吸引する動作が行われるが、本実施例では吸引のためのポンプ、吸引時に印字ヘッド２８を覆うキャップ等の構成については図示および説明を省略する。
【００３４】
各色のヘッド６１ないし６４には、図５に示したように、各色毎に３２個のノズルＮｚが設けられており、各ノズル毎に電歪素子の一つであって応答性に優れたピエゾ素子ＰＥが配置されている。ピエゾ素子ＰＥとノズルＮｚとの構造を詳細に示したのが、図６である。図示するように、ピエゾ素子ＰＥは、ノズルＮｚまでインクを導くインク通路８０に接する位置に設置されている。ピエゾ素子ＰＥは、周知のように、電圧の印加により結晶構造が歪み、極めて高速に電気−機械エネルギの変換を行う素子である。本実施例では、ピエゾ素子ＰＥの両端に設けられた電極間に所定時間幅の電圧を印加することにより、図６下段に示すように、ピエゾ素子ＰＥが電圧の印加時間だけ伸張し、インク通路８０の一側壁を変形させる。この結果、インク通路８０の体積は、ピエゾ素子ＰＥの伸張に応じて収縮し、この収縮分に相当するインクが、粒子Ｉｐとなって、ノズルｎの先端から高速に吐出される。このインク粒子Ｉｐがプラテン２６に装着された用紙Ｐに染み込むことにより、印刷が行われることになる。
【００３５】
以上説明したハードウェア構成を有するプリンタ２２は、紙送りモータ２３によりプラテン２６その他のローラを回転して用紙Ｐを搬送しつつ（以下、副走査という）、キャリッジ３１をキャリッジモータ２４により往復動させ（以下、主走査という）、同時に印字ヘッド２８の各色ヘッド６１ないし６４のピエゾ素子ＰＥを駆動して、各色インクの吐出を行い、ドットを形成して用紙Ｐ上に多色の画像を形成する。各色のヘッド６１〜６４におけるノズルの具体的な配列に関してはさらに後述する。なお、キャリッジ３１の往運動時にのみドットを形成する記録モード（単方向記録）とキャリッジ３１の往復運動時双方においてドットを形成する記録モード（双方向記録）とが選択可能となっている。
【００３６】
用紙Ｐを搬送する機構は、紙送りモータ２３の回転をプラテン２６のみならず、図示しない用紙搬送ローラに伝達するギヤトレインを備える（図示省略）。また、キャリッジ３１を往復動させる機構は、プラテン２６の軸と並行に架設されキャリッジ３１を摺動可能に保持する摺動軸３４と、キャリッジモータ２４との間に無端の駆動ベルト３６を張設するプーリ３８と、キャリッジ３１の原点位置を検出する位置検出センサ３９等から構成されている。
【００３７】
制御回路４０の内部には、図示しないＣＰＵやメインメモリ（ＲＯＭやＲＡＭＵ）のほかに、書き換え可能な不揮発性メモリとしてのプログラマブルＲＯＭ（ＰＲＯＭ）４２が備えられている。ＰＲＯＭ４２には、双方向記録においてドットを形成する記録タイミングに関する情報等、複数のドット記録モード情報が格納されている。ドット記録モード情報は、コンピュータ９０の起動時にプリンタドライバ９６（図３）がインストールされる際に、プリンタドライバ９６によってＰＲＯＭ４２から読み出されており、主走査および副走査の動作等は、この情報に応じて実行される。
【００３８】
なお、ＰＲＯＭ４２は、書き換え可能な不揮発性メモリであればよく、ＥＥＰＲＯＭやフラッシュメモリなどの種々の不揮発性メモリを使用することができる。また、モード指定情報は書き換え可能な不揮発性メモリに格納することが好ましいが、ドット記録モード情報は、書き換えができないＲＯＭに格納するようにしてもよい。また、複数のドット記録モード情報は、ＰＲＯＭ４２ではなく、他の記憶手段に格納されていてもよく、また、プリンタドライバ９６内に登録されていてもよい。
【００３９】
図７は、インク吐出用ヘッド６１〜６４におけるインクジェットノズルの配列を示す説明図である。第１のヘッド６１には、ブラックインクを噴射するノズルアレイが設けられている。また、第２ないし第４のヘッド６２〜６４にも、シアン、マゼンタ及びイエローのインクをそれぞれ噴射するノズルアレイが設けられている。これらの４組のノズルアレイの副走査方向の位置は、互いに一致している。
【００４０】
４組のノズルアレイは、副走査方向に沿って一定のノズルピッチｋで千鳥状に配列された３２個のノズルＮｚをそれぞれ備えている。なお、各ノズルアレイに含まれる３２個のノズルＮｚは、千鳥状に配列されている必要はなく、一直線上に配置されていてもよい。但し、図７（ａ）に示すように千鳥状に配列すれば、製造上、ノズルピッチｋを小さく設定し易いという利点がある。
【００４１】
図７（ｂ）は、１つのノズルアレイによって形成される複数のドットの配列を示している。この実施例では、インクノズルの配列が千鳥状か直線状かに関わらず、１つのノズルアレイによって形成される複数のドットは、副走査方向に沿ってほぼ一直線上に並ぶように、各ノズルのピエゾ素子ＰＥ（図６）に駆動信号が供給される。例えば、図７（ａ）のようにノズルアレイが千鳥状に配列されている場合において、図の右方向にヘッド６１が走査されてドットを形成していく場合を考える。この時、先行するノズル群１００，１０２…は、後追するノズル群１０１，１０３…よりも、ｄ／ｖ［秒］だけ早いタイミングで駆動信号が与えられる。ここで、ｄ［インチ］は、ヘッド６１における２つのノズル群の間のピッチ（図７（ａ）参照）であり、ｖ［インチ／秒］はヘッド６１の走査速度である。この結果、１つのノズルアレイによって形成される複数のドットは、副走査方向に沿って一直線上に配列される。なお、各ヘッド６１〜６４に設けられている３２個のノズルは、常に全数が使用されるとは限らず、ドット記録方式によっては、その一部のノズルのみが使用される場合もある。
【００４２】
（２）双方向記録におけるドット記録タイミング調整
上述のプリンタ２２が双方向記録を行う場合のドット記録タイミングの調整方法について説明する。入力部９２を介して調整モードによる印字が指示されると、コンピュータ９０は、プリンタドライバ９６を用いて、ＲＯＭに記憶されているテストパターンをプリンタ２２に印字させる。印字されるまでの過程は、既に説明した画像情報の記録と同様である。テストパターンは、その一部がキャリッジ３１の往運動中に形成され、残りの部分が復運動中に形成される。なお、本実施例のプリンタ２２はカラー印刷が可能であるが、ドット記録タイミングの調整は、一色で行えば十分であるため、上記テストパターンの印刷は、黒の単色にて行われる。
【００４３】
コンピュータ９０は、双方向記録におけるドット記録タイミングの調整を可能とするため、キャリッジ３１の復運動中のドット記録タイミングを種々変化させながら、上記テストパターンを印刷する。ドット記録タイミングは既に述べた通り、プリンタ２２のＰＲＯＭに記憶されており、コンピュータ９０の起動時にプリンタドライバ９６によってＰＲＯＭ４２から読み出されている。コンピュータ９０は、このドット記録タイミングを中心として所定の範囲ずつ記録タイミングを早めたものと遅めたものとを印刷するのである。また、各ドット記録タイミングで記録された各テストパターンの横には、記録タイミングを特定できる符号が同時に印刷される。
【００４４】
プリンタ２２の使用者は、このように印刷されたテストパターンを比較し、その中で最も良好な画像が記録されているものを選択し、選択したテストパターンの横に記録されている符号を入力部９２からコンピュータ９０に入力する。入力後、プリンタドライバ９６は、入力された符号に相当するドット記録タイミングでプリンタ２２に印刷を実行させる。こうしてプリンタ２２のドット記録タイミングの調整が完了する。また、新たに設定されたドット記録タイミングは、プリンタ２２のＰＲＯＭに記憶され、一旦電源をオフにしてもその情報は維持されるため、頻繁にドット記録タイミングの調整を行う必要はない。
【００４５】
なお、上述したドット記録タイミングの調整方法は、一例に過ぎず、ドット記録タイミングの入力と該ドット記録タイミングによるテストパターンの印刷とを繰り返し行うことによって、逐次良好なタイミングに調整していくものとしてもよい。また、上記コンピュータ９０、プリンタドライバ９６および入力部９２に相当する機能をプリンタ２２本体に備え、プリンタ２２単独で、ドット記録タイミングの調整が行えるものとしてもよい。
【００４６】
（３）正規ディザマトリックスによるテストパターン
前記「（２）双方向記録におけるドット記録タイミング調整」では、ドット記録タイミング調整方法として一般的な事項を説明した。以下では、本発明の第１実施例たるプリンタ２２に特徴的な部分について説明する。即ち、プリンタ２２により形成されるテストパターン、およびそのテストパターンを用いたドット記録タイミングの調整方法等について説明する。
【００４７】
本実施例のプリンタ２２は、テストパターンとして正規ディザマトリックスからなる複数のドットを印刷する。正規ディザマトリックスとは、主走査方向および副走査方向に規則正しくドットが並ぶパターンをいう。具体的なテストパターンの拡大図を図２（ａ）に示す。これは、ドット記録タイミングが最も良好な状態で記録された場合のテストパターンである。図２（ａ）において、丸印で記載されているのが、キャリッジ３１の往行程により形成されるドットであり、四角で記載されているのが、復行程により形成されるドットである。往行程または復行程により形成される各ドット間の主走査方向の間隔ｄ１および副走査方向の間隔ｄ２は等しく、前述したノズルピッチｋ（図７）と一致している。また、往行程により形成されるドットと復行程により形成されるドットとの主走査方向の間隔ｄ３および副走査方向の間隔ｄ４は等しく、ノズルピッチｋの半分（ｋ／２）となっている。つまり、本テストパターンは、互いに主走査方向および副走査方向にそれぞれｋ／２だけ離れた複数のドットが規則正しく並んだパターンとなっている。
【００４８】
次に、ドット記録タイミングが変化した場合のテストパターンの様子を図１に示す。ここに示した図も拡大図であり、現実には更に細かいドットおよび間隔からなるテストパターンが形成される。図１（ａ）は、最も良好なタイミングでドットが形成された場合のテストパターンを示しており、図１（ｂ）、図１（ｃ）の順にドット記録タイミングがずれていった状態を示している。また、各図の右側にテストパターンの一部を拡大して示す。拡大図において下向きの矢印で示されたドットＤ１は、キャリッジ３１の往行程で形成されたものであり、上向きの矢印で示されたドットＤ２は復行程で形成されたものである（以下、前者を往行程ドットＤ１といい、後者を復行程ドットＤ２という）。
【００４９】
図１（ａ）では、往行程ドットＤ１と復行程ドットＤ２とが、一定の間隔で規則正しく並んでいるため、テストパターンは濃淡のムラのない一様な状態として目視される。このとき、往行程ドットＤ１と復行程ドットＤ２の主走査方向の間隔は、前述の通りｋ／２となっている。これに対し、図１（ｂ）は、復行程ドットＤ２が図の右方向に若干ずれている。従って、往行程ドットＤ１と復行程ドットＤ２の主走査方向の間隔は、復行程ドットＤ２の左側ではｋ／２よりも大きく、右側ではｋ／２よりも小さくなっている。このようなドット間隔の偏りが原因となって、図１（ｂ）ではテストパターンに濃淡のムラが現れる。図１（ｃ）は、復行程ドットＤ２がさらに右方向にずれた場合であり、往行程ドットＤ１と復行程ドットＤ２の主走査方向の間隔も、さらに偏っている。この結果、図１（ｃ）ではテストパターンに図１（ｂ）よりも大きな濃淡のムラが現れる。
【００５０】
このように正規ディザマトリックスからなるテストパターンを種々のドット記録タイミングで印刷し、濃淡のムラのない、最も一様に記録されたものを選択するようにすれば、プリンタ２２のドット記録タイミングの調整を行うことができる。また、この方法によれば、ドット記録タイミングのずれを一定の領域に印刷されたテストパターンの濃淡で判断するため、図１２に示したライン状のテストパターンのように微細なドットのずれによる判断手法よりも、容易かつ精密にドット記録タイミングのずれを判断することができる。
【００５１】
なお、テストパターンは適正なドット記録タイミングで印刷された場合に、濃淡のムラのない一様な状態として目視し得るものであればよい。例えば、上述した図２（ａ）に示すパターンの他、図２（ｂ）および図２（ｃ）に示すパターン等にしてもよい。図２（ｂ）に示すパターンでは、往行程ドットは主走査方向に間隔ｄ１、副走査方向に間隔ｄ２で一様に並んでいるが、間隔ｄ１が間隔ｄ２の２倍となっている点で、間隔ｄ１と間隔ｄ２が等しい図２（ａ）の場合と異なる。図２（ｂ）の復行程ドット同士の間隔は往行程ドットと同じく主走査方向に間隔ｄ１、副走査方向に間隔ｄ２であり、往行程ドットと復行程ドットの間隔は、主走査方向に間隔ｄ１／２、副走査方向に間隔０となっている。つまり、副走査方向には、往行程ドットと復行程ドットは同じ位置に並んでいる。間隔ｄ１／２は間隔ｄ２と等しくなるため、このようなテストパターンが適正なタイミングで印刷された場合には、図２（ｂ）に示す通り、各ドットがそれぞれｄ２の間隔で規則正しく並んだテストパターンとなり、濃淡のムラのない一様な状態として目視される。また、図２（ｂ）のテストパターンにおいて主走査方向と副走査方向を入れ替えたテストパターン、つまり図２（ｂ）のテストパターンを９０度回転させたパターンとしてもよい。
【００５２】
図２（ｃ）に示したテストパターンは、往行程ドット同士、復行程ドット同士の間隔および往行程ドットと復行程ドット間の間隔は、図２（ｂ）と同じであるが、往行程ドット、復行程ドットがそれぞれ千鳥状に並んでいる点で図２（ｂ）と異なる。このようなテストパターンが、適正なタイミングで印刷された場合には、各ドットがそれぞれｄ２の間隔で規則正しく並んだテストパターンとなり、濃淡のムラのない一様な状態として目視される。
【００５３】
前記各種のテストパターンは、適正なタイミングで印刷された場合には各ドットは、主走査方向にも副走査方向にも一定の間隔で一様に並んでいるが、必ずしも両者が一定の間隔で並ぶ必要はなく、それぞれの方向において一定の間隔で一様に並んでいるものであればよい。例えば、図２（ａ）において、主走査方向の間隔ｄ１と副走査方向の間隔ｄ２が異なるものとしてもよいし、主走査方向の間隔ｄ１および副走査方向の間隔ｄ２は、それぞれノズルピッチｋと異なる間隔としてもよい。この場合において、主走査方向の間隔ｄ１と副走査方向の間隔ｄ２の相違は、一方が他方の数倍以上に至る大きな相違であっても構わない。
【００５４】
本実施例のプリンタ２２は、上記図２（ａ）に示したテストパターンについて、主走査方向および副走査方向の間隔をそれぞれ空間周波数が１サイクル／ｍｍとなるような間隔ｄ１、間隔ｄ２で印刷することもできる。空間周波数とは、この場合、印刷されたテストパターンの濃淡変化の周波数をいう。図２（ａ）では、往行程ドットが形成されている部分および復行程ドットが形成されている部分は濃となり、ドットが形成されていない部分は淡となる。例えば、図２（ａ）を最も左の列（図２（ａ）のｃ１列）に記録された往行程ドットから始めて主走査方向に見た場合を考える。このとき、ｃ１列は往行程ドットが形成されているため濃の列となり、そのすぐ右側（同図のｃ２列）は淡の列となる。さらに右側（同図のｃ３列）には復行程ドットが形成されているため濃の列となり、その右側（同図のｃ４列）は淡の列となる。このようにｃ１列の往行程ドットから次の往行程ドット（同図ｃ５列）に至るまでの間には濃淡変化が２回現れることになる。ここで、図１（ｂ）に示したようにドット記録タイミングがずれた場合も考慮すれば、濃淡変化は往行程ドット間の間隔ｄ１に現れる２回の変化で一周期の変化であるといえる。従って、主走査方向の間隔ｄ１が１ｍｍであるとき、空間周波数は１サイクル／ｍｍとなる。同様の考え方によれば、図２（ｂ）および図２（ｃ）においても、主走査方向の間隔ｄ１が１ｍｍであるとき、主走査方向の空間周波数が１サイクル／ｍｍとなる。
【００５５】
一般に空間周波数に応じて記録された画像のノイズに対して、人間の視覚の感度は変化することが知られている。この関係を図８に示す。これは、視覚の空間周波数特性（ＶＴＦ：Ｖｉｓｕａｌ  Ｔｒａｎｓｆｅｒ  Ｆｕｎｃｔｉｏｎ）として知られているグラフであり、横軸に空間周波数、縦軸に各空間周波数における視覚の感度を示したものである。このグラフによれば、空間周波数が０．４〜２．０サイクル／ｍｍである場合に視覚感度が比較的高くなり、約１サイクル／ｍｍにおいて極大となることが分かる。上述のテストパターンは、このような空間周波数で記録されているため、ドット記録タイミングのずれによる濃淡のムラを感度よく目視することができ、ドット記録タイミングの調整を精度よく行うことができる。
【００５６】
ドット記録タイミングは、主走査方向に生じるずれを調整するものであるため、主走査方向のみ視覚感度が高くなる空間周波数を選択するものとしてもよい。従って、主走査方向は空間周波数の観点から間隔ｄ１を１ｍｍとし、副走査方向はテストパターンを効率よく形成する観点から間隔ｄ２をノズルピッチｋに一致するものとしてもよい。
【００５７】
ここで、空間周波数に基づく視覚感度の変化に着目したテストパターンの設計方法について説明する。図８のグラフから明らかな通り、視覚感度は空間周波数が０．４〜２．０サイクル／ｍｍの範囲で比較的高くなっている。従って、この範囲でテストパターンの空間周波数を選択する。この際、必ずしも視覚感度の極大値である約１サイクル／ｍｍを選択する必要はなく、目標とするドット記録タイミングの調整精度に応じて、十分な視覚感度が得られる空間周波数を選択すればよい。こうして得られた空間周波数の逆数をとれば、テストパターンの往行程ドット間隔（図２（ａ）におけるｄ１、ｄ２）を求めることができる。なお、明度に対する視覚感度が縦方向と横方向で相違する場合には、をそれぞれの感度が高くなる空間周波数に合わせて間隔ｄ１と間隔ｄ２をそれぞれ設定してもよい。次に復行程ドット位置（図２（ａ）におけるｄ３、ｄ４）について、ｄ３＝ｄ１／２またはｄ４＝ｄ２／２の少なくとも一方が成立するように間隔ｄ３，ｄ４を設定することにより好適なテストパターンが設計される。
【００５８】
以上で設計されたテストパターンは、ドット記録タイミングの調整を行う目的を十分果たすことができるが、本実施例のように図７に示した通り、複数のノズルがヘッドに備えられているプリンタ（図７参照）では、副走査方向の間隔ｄ２をノズルピッチｋの整数倍もしくは１／整数倍に一致させるものとしてもよい。こうすることにより、視覚感度が高い空間周波数において、テストパターンを効率的に形成することもできる好ましいテストパターンを得ることができる。この場合において、さらに主走査方向の間隔ｄ１も副走査方向の間隔ｄ２と一致したものとすれば、主走査方向および副走査方向の双方においてテストパターンの一様性を確保することができる。以上で説明した通り、空間周波数と視覚感度の特性に着目することにより、目標とするドット記録タイミングの調整精度に応じて種々のテストパターンを設計することができる。
【００５９】
次にプリンタ２２に用いられるテストパターン記録用紙の実施例について図９を用いて説明する。これは、本実施例のプリンタ２２におけるドット記録タイミングの調整をさらに精度よく、容易なものとするために用いられる。図９（ａ）に示すテストパターン記録用紙には、中央部に所定の間隔をおいて帯状に、最も適切なタイミングで記載されたテストパターン（図１（ａ）に相当する）が予め記録されている。本実施例のプリンタ２２は、この記録用紙中央部のドット記録領域にテストパターンを印刷する。このような記録用紙を用いれば、予め記載されているテストパターンと印刷されたテストパターンとの直接対比が可能となり、ドット記録タイミングの調整を比較的容易かつ精度よく行うことができる。特に、普段テストパターンを見慣れていないプリンタ使用者であっても、容易かつ精度よくドット記録タイミングの調整を行うことが可能である。
【００６０】
予め記載するテストパターンは、印刷されたテストパターンとの直接対比がしやすいものであればよく、図９（ａ）に示す場合の他、テストパターンを記録用紙の上下に記載するもの（図９（ｂ））、記録用紙の一部に代表的に記載するもの（図９（ｃ））、副走査方向に所定の間隔をおいて数行にわたって記載するもの（図９（ｄ））等が考えられる。また、これらのテストパターンとプリンタ２２により印刷されるテストパターンとが、互いに重ならない領域が存在するものであれば、一部において重なりが生じるものであっても構わない。例えば、図９（ｄ）に示した記録用紙の場合、プリンタ２２のプラテン２６への記録用紙の装着ずれにより、テストパターンが重複して印刷される可能性があるが、副走査方向に所定の間隔を設けているため、両者が重ならない部分が存在する。このような記録用紙であれば、ドット記録タイミングの調整は可能である。
【００６１】
本実施例のプリンタ２２によるテストパターンの印刷は、コンピュータ９０がこのような機能を実現するプログラムに従ってプリンタ２２を動かすことにより実現しているものである。従って、本発明は上記各機能を実現するプログラムを記憶した記憶媒体としての実施の形態をとることもできる。つまり、上述の機能を実現するプログラムは、フロッピディスクやＣＤ−ＲＯＭ等の、コンピュータ読み取り可能な記憶媒体に記憶された形態で提供される。コンピュータは、その記憶媒体からプログラムを読み取って内部記憶装置または外部記憶装置に転送する。あるいは、通信経路を介してコンピュータにプログラムを供給するようにしてもよい。プログラムの機能を実現する時には、内部記憶装置に格納されたプログラムがコンピュータのマイクロプロセッサによって実行される。また、記憶媒体に記憶されたプログラムをコンピュータが読み取って直接実行するようにしてもよい。
【００６２】
なお、コンピュータは、ＣＰＵ、ＲＡＭ、ＲＯＭ、入力部等を備え、プログラムを実行することにより上記機能を実現できるものであればよく、プリンタ２２にコンピュータが内蔵されているものとしてもよい。また、「記憶媒体」としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読取り可能な種々の媒体を利用できる。
【００６３】
（４）第２実施例
次に本発明の第２実施例としてのプリンタ２２について説明する。このプリンタ２２の構成は、第１実施例と同じであり、印刷するテストパターンも第１実施例（図２（ａ））と同じである。但し、本実施例のプリンタ２２は、テストパターンの印刷方法が第１実施例と異なっている。
【００６４】
本実施例のプリンタ２２は、第１実施例と同じくキャリッジ３１の往行程と復行程の双方向において印刷する双方向記録と、キャリッジ３１の往行程のみで印刷する単方向記録により、図２（ａ）に示した正規ディザマトリックスを印刷することができる。単方向記録の場合には、図２（ａ）に丸印と四角印で示したドット全てがキャリッジ３１の往行程において印刷されるのである。従って、単方向記録の場合には、ドット記録タイミングのずれが生じないため、常に最も良好な状態のテストパターンが印刷されることになる。
【００６５】
テストパターンの印刷が指示されると、本実施例のプリンタ２２は、単方向記録により形成されたテストパターン（以下、単方向テストパターンという）と、双方向記録により形成されたテストパターン（以下、双方向テストパターンという）とが近接するようにテストパターンの印刷を行う。具体的には、図１０（ｄ）に示す通り、単方向テストパターンと双方向テストパターンとが副走査方向に交互に並ぶように印刷する。双方向テストパターンは、ドット記録タイミングを種々の値に変化させて印刷されている。
【００６６】
このようなプリンタ２２によれば、上述したテストパターン記録用紙を用いなくても、理想的な状態を示す単方向テストパターンと印刷されたテストパターンとの直接対比が可能となり、ドット記録タイミングの調整を比較的容易かつ精度よく行うことができる。特に、普段テストパターンを見慣れていないプリンタ使用者であっても、容易かつ精度よくドット記録タイミングの調整を行うことが可能である。
【００６７】
なお、単方向テストパターンと双方向テストパターンの記録位置は、両者の直接対比が可能となる位置であればよい。例えば、図１０（ａ）に示す通り双方向テストパターンの両端に単方向テストパターンを記録したり、図１０（ｂ）に示す通り双方向テストパターンの上下に単方向テストパターンを記録するようにしたり、図１０（ｃ）に示す通り用紙の一部に代表的に単方向テストパターンを記録するようにしてもよい。また、図１０（ａ）〜（ｄ）では両者を一定の隙間をおいて印刷しているが、両者を接するように記録してもよい。
【００６８】
以上、本発明の種々の実施例について説明してきたが、本発明はこれらに限定されるものではなく、その要旨を逸脱しない範囲で、種々の形態が可能である。
【図面の簡単な説明】
【図１】正規ディザマトリックスを用いたテストパターン例を示す説明図である。
【図２】正規ディザマトリックス例を示す説明図である。
【図３】本発明のプリンタを用いた画像処理システムの概略構成図である。
【図４】本発明のプリンタの概略構成図である。
【図５】本発明のプリンタのドット記録ヘッドの概略構成を示す説明図である。
【図６】本発明のプリンタにおけるドット形成原理を示す説明図である。
【図７】本発明のプリンタのキャリッジにおけるノズル配列および該ノズルによるドット形成の様子を示す説明図である。
【図８】空間周波数と視覚感度の関係を示すグラフである。
【図９】テストパターン記録用紙例を示す説明図である。
【図１０】本発明の第２実施例におけるテストパターンの印刷状態を示す説明図である。
【図１１】用紙厚さとインク着弾位置の関係を示す説明図である。
【図１２】従来のテストパターン例を示す説明図である。
【符号の説明】
１２…スキャナ
２１…カラーディスプレイ
２２…カラープリンタ
２３…紙送りモータ
２４…キャリッジモータ
２６…プラテン
２８…印字ヘッド
３１…キャリッジ
３２…操作パネル
３４…摺動軸
３６…駆動ベルト
３８…プーリ
３９…位置検出センサ
４０…制御回路
４２…プログラマブルＲＯＭ（ＰＲＯＭ）
６１、６２、６３、６４…インク吐出用ヘッド
６５…導入管
７１…黒インク用のカートリッジ
７２…カラーインク用カートリッジ
８０…インク通路
９０…パーソナルコンピュータ
９１…ビデオドライバ
９２…入力部
９５…アプリケーションプログラム
９６…プリンタドライバ
９７…ラスタライザ
９８…色補正モジュール
９９…ハーフトーンモジュール
【図１】
0004006786.tif 000002
【図２】
0004006786.tif 000003
【図３】
0004006786.tif 000004
【図４】
0004006786.tif 000005
【図５】
0004006786.tif 000006
【図６】
0004006786.tif 000007
【図７】
0004006786.tif 000008
【図８】
0004006786.tif 000009
【図９】
0004006786.tif 000010
【図１０】
0004006786.tif 000011
【図１１】
0004006786.tif 000012
【図１２】
0004006786.tif 000013